(57)【要約】用具を受容するための拡張部を有する、顆粒状物質、粒子状物質又は個々の物質の集合体のための容器が開示される。より詳細には、用具をその拡張部内に引っ掛けることができると共に、前記物質と共にパッケージ化できるように、孔を有する少なくとも１つの拡張部を有する容器が開示される。
2004530603.tif 000002
【特許請求の範囲】
【請求項１】
ａ）基部と、開口部を有する空洞を形成すべく前記基部に接続されると共に、それぞれが上部エッジ及び下部エッジを有する少なくとも４つの側部パネルとから形成された容器と、
ｂ）前記開口部を閉鎖するための蓋とを含むパッケージであって、
前記側部パネルの少なくとも１つは、前記側部パネルに固着された拡張部を有し、前記拡張部は、前記拡張部内に配置された開口を有するパッケージ。
【請求項２】
ａ）基部と、開口部を有する空洞を形成すべく前記基部に接続されると共に、それぞれが上部エッジ及び下部エッジを有する少なくとも４つの側部パネルとから形成された容器と、
ｂ）前記開口部を閉鎖するための蓋と、
ｃ）前記容器の空洞内に配置されると共に、それぞれが上部エッジ及び下部エッジを有する少なくとも１つのパネルを有するライナーとを含むパッケージであって、
少なくとも１つのパネルは、前記パネルに固着された拡張部を有し、前記拡張部は、前記拡張部内に配置された開口を有するパッケージ。
【請求項３】
前記拡張部の前記開口に挿入可能な柄部を有する用具を更に含む請求項１に記載のパッケージ。
【請求項４】
前記拡張部の前記開口に挿入可能な柄部を有する用具を更に含む請求項２に記載のパッケージ。
【請求項５】
ａ）基部と、開口部を有する空洞を形成すべく前記基部に接続されると共に、それぞれが上部エッジ及び下部エッジを有する少なくとも４つの側部パネルとから形成された容器と、
ｂ）前記開口部を閉鎖するための蓋とを含むパッケージであって、
前記側部パネルの少なくとも１つは、前記側部パネルに固着された拡張部を有し、前記拡張部は、前記拡張部内に配置された開口を有し、前記拡張部に固着された用具を更に含むパッケージ。
【請求項６】
ａ）基部と、開口部を有する空洞を形成すべく前記基部に接続されると共に、それぞれが上部エッジ及び下部エッジを有する少なくとも４つの側部パネルとから形成された容器と、
ｂ）前記開口部を閉鎖するための蓋とを含むパッケージであって、
前記側部パネルの少なくとも１つは、前記側部パネルに固着された拡張部を有し、前記拡張部は、前記拡張部内に配置された開口を有し、前記拡張部に固着された用具を更に含み、前記空洞が洗剤を収容するパッケージ。
【請求項７】
前記拡張部に固着された用具を更に含む請求項２に記載のパッケージ
【請求項８】
前記空洞が洗剤組成物を収容する請求項２に記載のパッケージ。
【請求項９】
前記蓋が少なくとも１つの側部パネルの前記上部エッジに固着される請求項１に記載のパッケージ。
【発明の詳細な説明】
【技術分野】
【０００１】
本発明は、顆粒状又は粒子状物質用の容器、特に粉末状の家庭用洗浄製品又は個々の物質の多様な他の集合体用の容器に関する。より詳細には、本発明は、用具が拡張部に固着可能であり、且つ、前記物質と共にパッケージ化可能であるような、開口を有する少なくとも１つの拡張部を有する容器に関する。
【背景技術】
【０００２】
顆粒状製品の容量を測定するための用具は、使用者の便宜のために、小売パッケージに包含されており、周知である。このような用具の１つはスプーンである。このようなスプーンは、特に、容量測定が再現可能な結果を得るのに有益である顆粒状洗剤及びコーヒー製品と共に見られる。計量スプーンは、典型的には成形塑性体から製造され、柄部に接続された計量部分を有する。この計量部分は、典型的には、同形状の開放空洞を形成する円筒形又は方形の本体を有する。
【０００３】
スプーンに対する顧客の満足感は、スプーンのアクセス性に大きく左右される。理想的な状況は、カートンを初めて開けた時に、消費者が製品の一番上にスプーンを見つけることである。しかしながら、たいていの場合、スプーンは購入前の取り扱い中に製品の中に沈んでしまい、それによりスプーンのアクセス性に対する消費者の不満が生じる。
【発明の開示】
【発明が解決しようとする課題】
【０００４】
上記問題に対する現在の解決策は２つの異なった経路を辿る。第一の場合、容器に顆粒状製品を充填し、次いで、容器の蓋を取付ける前に、製品の一番上に小さなスプーンを載置する。第二の経路では、容器を逆さまにひっくり返す。スプーンを容器内に載置し、次いで、その周りに顆粒状製品を充填する。容器を再びひっくり返すと、スプーンは容器の上端にあり、その後、消費者によって蓋が開放される。スプーンが容器の大きさに比して大きい場合、又は容器が製品の一番上に、スプーンを落として収容するのに十分な上部空間を有さない場合には、第二の経路が好ましい。
【０００５】
しかしながら、上記解決策には著しい欠点がある。両方共、スプーンは、一般に、最終製品の輸送中に、振動及び製品対スプーンのそれぞれの密度により製品の中に沈む。更に、上記の上部充填方法は、スプーンの余地を考慮に入れるための更なる上部空間を必然的に必要とし、これは一般に、スプーンの大きさを制限する。
【０００６】
当該技術分野では、アクセス可能な用具を提供すべく幾つかの試みがなされてきたが、いずれも満足のいくものではなかった。多くの場合、用具を載置するのに必要な高性能機器は非常に値段が高い。用具、即ちスプーンはパッケージに接着剤で接合されていた。しかしながら、この方法においては、消費者がスプーンを一旦最初に取り外すと、保管のために再び取付ける方策がない。故に、消費者が製品にスプーンを載置すると、再びスプーンは沈んでしまう。
【０００７】
従って、どのような時でも、消費者にとって容易にアクセス可能な計量スプーンを提供する顆粒状物質パッケージ化のためのカートンに対する必要性が依然として存在する。一旦初めにパッケージから分離したスプーンを再び取付ける方法に対する必要性も依然として存在する。
【課題を解決するための手段】
【０００８】
本発明は、共にパッケージされるべき小さな個々の物品（即ち、キャンディ、シリアル、玩具など）の集合体用のみならず、顆粒状又は粉末状製品用の容器を提供することにより上記必要性を満足させる。本発明の第一の実施の形態によれば、製品が使用中に取り除かれ得る開口部を有する製品保管用空洞を画定する容器が提供される。容器は、この容器に固着され得る蓋を包含する。蓋が固着される時は、あらゆる既知の手段によって、好ましくはヒンジによって固着されてもよい。蓋は、閉鎖位置にある時、前記空洞開口部を覆う。容器は、開口部を備えた空洞を形成するため前部パネル、後部パネル及び側部パネルを更に含む。蓋は、容器に固着される時、好ましくは後部パネルの上側部分に固着されることができる。カートンは、底部パネルを更に含む。前記容器の少なくとも１つの側部パネルは、前記用具を固着するための少なくとも１つの拡張部を有する。好ましい実施形態において、拡張部は、用具、計量スプーン又は他の計量装置をその拡張部に固着するための開口を備える。この構成は、アクセス可能な用具（例えば、パッケージの製品内に埋没していないもの）を提供し、この用具は、パッケージを初めて開けた時にパッケージ使用者によって容易に見つけられる。拡張部は、その配置で用具にアクセス可能である限り、側部パネル上のどこにでも載置可能である。
【０００９】
本発明の更なる実施形態によれば、上述のようなカートンは、底部パネル及びライナーを更に含む。ライナーは４つの側部パネルから形成される。前記ライナーの少なくとも１つの側部パネルは、前記用具を固着するための拡張部を少なくとも１つ有する。好ましい実施形態において、拡張部は、用具、計量スプーン又は他の計量装置をその拡張部に固着するための開口を備える。この構成は、アクセス可能な用具（例えば、パッケージの製品内に埋没していないもの）を提供し、この用具は、パッケージを初めて開けた時にパッケージ使用者によって容易に見つけられる。拡張部は、その配置で用具にアクセス可能である限り、側部パネル上のどこにでも載置可能である。
【００１０】
特に指定のない限り、本明細書ではすべてのパーセンテージ及び割合は重量を基準としており、記載のすべての参考文献を参考として本明細書に組み込む。
【発明を実施するための最良の形態】
【００１１】
ここで、本発明の好ましい実施形態を詳細に参照し、それらの実施例が添付の図面において例証されている。以下でより十分に検討されるように、本発明は、カートン又はカートンライナーの拡張部によってカートンに固着される用具を備える、顆粒状、粉末状又は他の内容物を収容するためのカートンに関する。用語カートン、パッケージ及び容器は、本開示の文脈内にて互換性があると理解される。用具とは、中に収容された製品を分配する目的で容器内に供給され得るいかなるタイプの計量装置又はツールをも意味する。本発明に従って作製された特に好ましいカートン又はパッケージ１０が図１に例証されている。パッケージ１０は、フラップ１４、１６、１８及び２０から形成されると共に、基部２４と側部パネル２６、２８、３０及び３２とから形成された容器２２と相互接続された蓋１２を有する六面カートンとして例証されている。蓋、基部及び側部パネルのそれぞれは内面及び外面を有し、内面はパッケージ１０の内側に配置され、外面はパッケージの外側周りに配置される。側部パネル２６、２８、３０及び３２のそれぞれは、上部エッジ３１及び下部エッジ３３を有する。側部パネル２６、２８、３０又は３２のうち少なくとも１つの側部パネルは、少なくとも１つの拡張部４８を備える。好ましい実施形態において、拡張部４８は、上部エッジ３１に固着される。前記拡張部４８は、用具を容易に固着することができる開口５０を有する。開口５０の大きさ及び形状は、パッケージ内に供給されることを意図された特定の用具によって決定される。
【００１２】
本発明に従って作製されたパッケージ１０の別の実施形態が図２によって例証されている。パッケージ１０は、図１において上述した通りであり、カートンは、図４においてより十分に示すようなライナー３４を更に備える。好ましいライナー３４は、側部パネル３６、３８、４０及び４２を有し、そのそれぞれが上部エッジ４４及び下部エッジ４６を有する（図２では見えない）。ライナーは、側部パネルを１つしか有さないか、又は、最大でカートン自身と同じ数の側部パネルを有してもよい。ライナー３４はまた、少なくとも１つの拡張部４８を有する。好ましくは、拡張部４８は、上部エッジ４４に固着される。前記拡張部４８は、用具を容易に固着することができる開口５０を有する。開口５０の大きさ及び形状は、パッケージ内に供給されることを意図された特定の用具によって決定される。
【００１３】
パッケージ１０は、好ましくは、粉末状又は顆粒状製品を保管するのに使用され、それら製品の例としては、洗濯用洗剤、食品などが挙げられる。更に、パッケージ１０は、用具を提供することが望ましい他のいかなる製品を保管するのにも使用できる。用語「顆粒状」及び「粉末状」は、本明細書では互換的に使用され、固体又は半固体粒子を含むいかなる製品をも指すように意図されている。本発明は、本明細書において、図１及び図２の代表的な六面パッケージを参照して説明されているが、本発明は他のパッケージ構成及び形状での使用にも適合し得ることが予想される。例えば、本発明は、１つ以上の湾曲したパネル又は曲線状パネルなどを有するパッケージと共に使用することができる。更に、本発明は、底部充填型カートン及び側部充填型カートンと共に使用することができる。蓋１２がカートンの上部に配置されたパッケージ１０が図１に例証されているが、この蓋１２は他の場所に載置され得ること、複数の蓋を設けることができること、及び他の蓋構成も対応できることが予想される。
【００１４】
更に、拡張部４８は、パッケージ１０の隅部か、又は、前記側部パネル２６、２８、３０及び３２若しくはそれぞれのライナー側部パネル３６、３８、４０及び４２のいずれかの上部エッジ３１、４４の直下に載置されてもよいことが予想される。このような実施形態の１つが図５に例示されている。
【００１５】
パッケージ１０は、図３に例証されるブランク６０から形成することができる。図示するように、ブランク６０は、蓋フラップ１４、１６、１８及び２０のそれぞれ、並びに、側部パネル２６、２８、３０及び３２のそれぞれに対応する区画を有する。検討の目的のため、図３で見えているのは、ブランク６０のフラップ及びパネルの内面である。パッケージ１０の基部２４は、好ましくは、基部フラップ６２、６４、６６及び６８から形成される。ブランク６０はまた、側部パネル３２のエッジに沿って配置された接着フラップ７０を包含する。ブランク６０のフラップ及びパネルは、刻み線７２、７４、７６、７８、８０、８２、８４、８６、８８、８９、９１及び９３によって互いに一体的に相互接続される。刻み線は、多様なフラップ及びパネルが、隣接するフラップ又はパネルから破断するか又は分離することなく、それぞれの刻み線周りに屈曲するのを容易にするのに十分な程深く切り目を入れられる。
【００１６】
ライナー３４は、図４に例証されるブランク９０から形成することができる。ブランク９０は、刻み線９２、９４、９６及び９８によって互いに一体的に相互接続された側部パネル３６、３８、４０及び４２のそれぞれに対応する区画を有する。ブランク９０は、刻み線１００によって側部パネル３６、３８、４０及び／又は４２のうち少なくとも１つの側部パネルの上部エッジ４４に一体的に接続された拡張フラップ４８を更に含む。拡張フラップ４８は、開口５０を有する。
【００１７】
本発明の特に好ましい実施形態が図６及び図７に示されている。図６は、本発明によるパッケージを例示しており、パッケージ１０は、洗濯用洗剤組成物を更に含んでいる。図７も本発明によるパッケージを例示しており、パッケージ１０は、洗濯用洗剤組成物及び計量スプーンを更に含んでいる。
【００１８】
パッケージ１０は、好ましくは、粉末状又は顆粒状製品を保管するのに使用され、それら製品の例としては、洗濯用洗剤、食品、洗浄製品などが挙げられる。更に、パッケージ１０は、パッケージ内に容易にアクセス可能な用具を提供することが望ましい他のいかなる製品を保管するのにも使用可能である。
【００１９】
本発明の好ましい実施形態を、例証及び説明の目的で述べてきた。それは、包括的であろうとも、まさに開示したその形態に本発明を限定しようとも意図していない。変更又は変形は可能であり、上述の教示を考慮して当業者により熟慮され、検討された実施形態は、本発明の原理と実際の用途を最も良く説明するために選択及び説明された。
【図面の簡単な説明】
【００２０】
【図１】本発明によるパッケージの第一の実施形態の斜視図である。
【図２】本発明によるパッケージの第二の実施形態の斜視図である。
【図３】組立て前のカートンブランクの平面図である。
【図４】組立て前のカートンライナーの平面図である。
【図５】本発明によるパッケージの第三の実施形態の斜視図である。
【図６】本発明による洗濯用洗剤パッケージの斜視図である。
【図７】本発明による洗濯用洗剤パッケージ及び用具の斜視図である。
【国際公開パンフレット】
2004530603.tif 000003
2004530603.tif 000004
2004530603.tif 000005
2004530603.tif 000006
2004530603.tif 000007
2004530603.tif 000008
2004530603.tif 000009
2004530603.tif 000010
2004530603.tif 000011
2004530603.tif 000012
2004530603.tif 000013
2004530603.tif 000014
2004530603.tif 000015
2004530603.tif 000016
2004530603.tif 000017
2004530603.tif 000018
【国際公開パンフレット（コレクトバージョン）】
2004530603.tif 000019
2004530603.tif 000020
【国際調査報告】
2004530603.tif 000021
2004530603.tif 000022